(57)【要約】【課題】装着先となるワイシャツ類に特別な加工が不要でどのようなワイシャツに対しても着脱・位置決めが容易であり、しかも、装着時に首を締め付けることがない蝶ネクタイを提供する。【解決手段】ワイシャツ類３０に装着される蝶ネクタイ１において、布状の蝶ネクタイ本体１０と、蝶ネクタイ本体１０に取り付けられ、ワイシャツ類３０のボタン４０を表面４０ａ側と裏面４０ｂ側とから挟持して蝶ネクタイ本体１０をワイシャツ類３０に装着するクリップ２０とを備える。【選択図】図３
2014062345.tif 000002
【特許請求の範囲】
【請求項１】
ワイシャツ類に装着される蝶ネクタイにおいて、
布状の蝶ネクタイ本体と、
前記蝶ネクタイ本体に取り付けられ、前記ワイシャツ類のボタンを表面側と裏面側とから挟持して前記蝶ネクタイ本体を前記ワイシャツ類に装着するクリップと、を備える、
ことを特徴とする蝶ネクタイ。
【請求項２】
前記クリップは、
それぞれ前記ボタンを挟持する挟持部と前記挟持部を開放操作する把持部とを有するとともに相互に開閉自在に連結された第１挟持片と第２挟持片と、
それぞれの前記挟持部を閉方向に付勢するばね部材と、を備え、
前記第１挟持片は、前記蝶ネクタイ本体に固定されるとともに、前記蝶ネクタイ本体の装着時に前記挟持部が前記ボタンの表面側に位置し、
前記第２挟持片は、前記ボタンが通過不能なスリットを介して対向する二股部を有するとともに、前記蝶ネクタイ本体の装着時に前記ボタンの取付糸が前記スリットに挿入されて前記二股部が前記ボタンの裏面側に位置して前記第１挟持片の前記挟持部との間に前記ボタンを挟持する、
ことを特徴とする請求項１に記載の蝶ネクタイ。
【請求項３】
前記蝶ネクタイ本体は、
装飾部と、
前記装飾部の左右方向の中間部を絞る環状の絞り部とを有し、
前記第１挟持片は、前記挟持部の少なくとも一部が前記装飾部と前記絞り部との間に挿入されている、
ことを特徴とする請求項２に記載の蝶ネクタイ。
【請求項４】
前記第１挟持片は、前記装飾部及び前記絞り部に直接接触することを防止すべく、布状のカバー部材によって覆われている、
ことを特徴とする請求項２又は３に記載の蝶ネクタイ。
【請求項５】
前記第１挟持片の前記挟持部は、前記第２挟持片の前記挟持部との間に前記ボタンを挟持する際に、前記カバー部材を介して前記絞り部の一部を前記ボタンの表面に押圧する、
ことを特徴とする請求項４に記載の蝶ネクタイ。
【発明の詳細な説明】
【技術分野】
【０００１】
本発明は、どのようなワイシャツ類に対しても着脱・位置決めが容易で、装着時の首の締め付け感がない蝶ネクタイに関する。
【背景技術】
【０００２】
従来、ネクタイや蝶ネクタイは、１本の細長い布の中間を首に巻き付けて、両端を体の正面で結んで結び型を作って装着する。このため、着脱が煩雑である。また、結び型の長さを調整したり、結び型の形を整えたりするのが結構難しい。さらに、首の締め具合の調整も面倒である。
【０００３】
このような不具合を解消するため、種々のものが提案されている。
【０００４】
例えば、ピアネス・タイ（クリップ・オン、プレ・タイド）と呼ばれるものが提案され、実用化されている。このものは、初めから結び型が形成されていて、首に巻き付ける部分を、首の側面や後ろ側で金具、面ファスナーなどで止めて環状にするものである。
【０００５】
また、着脱が容易で、首を不要に締め付けることがないものが提案されている（例えば、特許文献１，２参照）。
【０００６】
特許文献１のものは、あらかじめ結び型が整ったものに、プラスチック等の弾性体からなる「Ｃ」型の首嵌付体を取り付けたものである。ネクタイを着脱するには、首嵌付体を少し開いて首に嵌めるだけで装着することができ、また、同様に首嵌付体を少し開いて簡単に取り外すことができる。
【０００７】
一方、特許文献２のものは、ネクタイの結び型に面ファスナーの一方側が取り付けられていて、この面ファスナーの一方側を、ワイシャツ側に取り付けられている面ファスナーの他方側に係合させるものである。これによると、面ファスナーの係合及び係合解除によって、簡単にネクタイを着脱することが可能である。
【先行技術文献】
【特許文献】
【０００８】
【特許文献１】実用新案登録第３１０６９９０号
【特許文献２】実用新案登録第３１４２８９３号
【発明の概要】
【発明が解決しようとする課題】
【０００９】
しかしながら、上述のピアネス・タイ、特許文献１，２のものは、いずれも、あらかじめネクタイの結び型が形成されているので、結び型の形を整える必要はなく、また、着脱は容易であるものの、以下のような問題がある。
【００１０】
ピアネス・タイは、首の締め付け具合を調整するための、首に巻き付ける部分の長さ調整が煩雑であり、また、首を不要に締め付けるおそれもある。
【００１１】
また、特許文献１のものは、「Ｃ」型の首嵌付体を首に嵌めるため、緩い場合には、ネクタイがずり下がるおそれがあって、結び型の位置決めが難しく、逆にきつい場合には、首を不要に締め付けるという問題があった。
【００１２】
さらに、特許文献２のものは、結び型を装着できるワイシャツが限定されるという問題がある。すなわち、ワイシャツ側の襟の裏面に面ファスナーの他方側を取り付ける必要があるため、面ファスナーの他方側が取り付けられていないワイシャツには装着できないという問題があった。つまり、結び型の装着先となるワイシャツに、面ファスナーの他方側を取り付けるといった特別な加工が必要となる。
【００１３】
なお、特許文献１，２については、ネクタイの問題点を説明したが、蝶ネクタイについても同様の問題点がある。
【００１４】
本発明は、上述した事情に鑑みてなされたものであり、結び型の装着先となるワイシャツ類に特別な加工が不要でどのようなワイシャツに対しても結び型の着脱・位置決めが容易であり、しかも、装着時に首を締め付けることがない蝶ネクタイを提供することを目的とするものである。
【課題を解決するための手段】
【００１５】
請求項１に係る発明は、ワイシャツ類に装着される蝶ネクタイにおいて、布状の蝶ネクタイ本体と、前記蝶ネクタイ本体に取り付けられ、前記ワイシャツ類のボタンを表面側と裏面側とから挟持して前記蝶ネクタイ本体を前記ワイシャツ類に装着するクリップと、を備える、ことを特徴とする。
【００１６】
請求項２に係る発明は、請求項１に係る蝶ネクタイにおいて、前記クリップは、それぞれ前記ボタンを挟持する挟持部と前記挟持部を開放操作する把持部とを有するとともに相互に開閉自在に連結された第１挟持片と第２挟持片と、それぞれの前記挟持部を閉方向に付勢するばね部材と、を備え、前記第１挟持片は、前記蝶ネクタイ本体に固定されるとともに、前記蝶ネクタイ本体の装着時に前記挟持部が前記ボタンの表面側に位置し、前記第２挟持片は、前記ボタンが通過不能なスリットを介して対向する二股部を有するとともに、前記蝶ネクタイ本体の装着時に前記ボタンの取付糸が前記スリットに挿入されて前記二股部が前記ボタンの裏面側に位置して前記第１挟持片の前記挟持部との間に前記ボタンを挟持する、ことを特徴とする。
【００１７】
請求項３に係る発明は、請求項２に係る蝶ネクタイにおいて、前記蝶ネクタイ本体は、装飾部と、前記装飾部の左右方向の中間部を絞る環状の絞り部とを有し、前記第１挟持片は、前記挟持部の少なくとも一部が前記装飾部と前記絞り部との間に挿入されている、ことを特徴とする。
【００１８】
請求項４に係る発明は、請求項２又は３に係る蝶ネクタイにおいて、前記第１挟持片は、前記装飾部及び前記絞り部に直接接触することを防止すべく、布状のカバー部材によって覆われている、ことを特徴とする。
【００１９】
請求項５に係る発明は、請求項４に係る蝶ネクタイにおいて、前記第１挟持片の前記挟持部は、前記第２挟持片の前記挟持部との間に前記ボタンを挟持する際に、前記カバー部材を介して前記絞り部の一部を前記ボタンの表面に押圧する、ことを特徴とする。
【発明の効果】
【００２０】
請求項１の発明によれば、クリップによって、例えば、ワイシャツの第１ボタンをその表面側と裏面側から挟持することにより、蝶ネクタイ本体（結び型）を第１ボタン装着し、また、第１ボタンを基準に位置決めすることができるので、装着、位置決めが容易である。また、蝶ネクタイ本体の、第１ボタンからの取り外しも容易である。また、蝶ネクタイ本体をワイシャツ類に装着するために、ワイシャツ類には特別な加工は不要である。また、蝶ネクタイ本体の装着時に首を絞める部分がないので、装着によって首を締め付けることはない。
【００２１】
請求項２の発明によれば、第１挟持片の挟持部と、ボタンの取付糸がスリットに挿入された状態の第２挟持片の挟持部の二股部との間で、ボタンをその表面側と裏面側とから確実に挟持することができる。また、スリットに挿入されたボタンの取付糸を基準として、ボタンに対し高い精度で蝶ネクタイ本体を位置決めすることができる。また、蝶ネクタイ本体の装着後は、取付糸が二股部に対するストッパの役目をするので、蝶ネクタイ本体の位置が不要に移動するのを防止することができる。
【００２２】
請求項３の発明によれば、第１挟持片は、挟持部の少なくとも一部が、装飾部（ウイング）と絞り部（結び目）との間に挿入された状態で、蝶ネクタイ本体（結び型）に取り付けられているので、例えば、接着剤のみで取り付けられている場合と比較して、クリップと蝶ネクタイ本体が不要に分離しにくい。つまり、蝶ネクタイ本体がクリップから脱落しにくい。
【００２３】
請求項４の発明によれば、装飾部及び絞り部が直接接触するのが防止されるので、クリップの一部が装飾部や絞り部に直接接触して引っ掛かったりするおそれがない。また、クリップを蝶ネクタイ本体に取り付ける（固定する）際に、例えば、接着によって固定する場合、第１挟持片を直接、蝶ネクタイ本体に接着するのではなく、それぞれ布状で同様の性状の、カバー部材と蝶ネクタイ本体とを接着することができるので、確実な接着を実現することができる。
【００２４】
請求項５の発明によれば、第１挟持片と第２挟持片とでボタンを表面側と裏面側とから挟持する際に、布状の絞り部がボタン表面を押圧するため、第１挟持片の挟持部が直接、ボタンの表面に接触して押圧する場合と比較して、滑りが発生しにくい。このため、装着後の蝶ネクタイ本体の位置がずれにくい。
【図面の簡単な説明】
【００２５】
【図１】蝶ネクタイ１の正面図である。
【図２】蝶ネクタイ１の背面図である。
【図３】蝶ネクタイ１の背面側を上方から見た際の、絞り部１２、クリップ２０の拡大斜視図である。
【図４】ボタン４０を挟持した状態のクリップ２０を上方から見た模式図である。
【発明を実施するための形態】
【００２６】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２７】
図１〜図４を参照して本発明を適用した実施形態１に係る蝶ネクタイ１について説明する。
【００２８】
なお、本発明を適用し得る蝶ネクタイとしては、蝶が羽を広げたような形状のバタフライ、結び目の両翼が一直線になるクラブボウタイ、このクラブボウタイの幅が３ｃｍ以下のスクエアボウタイ、クラブボウタイを極端に小ぶりにしたチビタイ、先端が三角形にとがった形状のポインテッドエンドボウタイ等の種々のものがある。
【００２９】
以下では、このうち蝶ネクタイ１がバタフライである場合について説明する。
【００３０】
図１は、蝶ネクタイ１の正面図である。また、図２は、蝶ネクタイ１の背面図である。
【００３１】
ここで、以下の説明では、説明の便宜上、図１，図２中の左上に矢印で示す上下左右の方向が、蝶ネクタイ１の上下左右に対応するものとして説明する。この上下左右は、蝶ネクタイ１を付ける使用者を基準として決めている。また、蝶ネクタイ１の、図１に現れる側を正面側（前側、表面側）、図２に現れる側を背面側（後側、裏面側）とする。
【００３２】
図１，図２に示すように、蝶ネクタイ１は、蝶ネクタイ本体（結び型）１０と、この蝶ネクタイ本体１０をワイシャツ類３０に取り付けるためのクリップ２０とを備えて構成されている。クリップ２０は、蝶ネクタイ本体１０の背面側（裏面側）に配設されている。
【００３３】
ここで、ワイシャツ類３０とは、前身頃の表前立て３１（図４参照）と裏前立て３２とを、ファスナーや紐類ではなく、ボタン４０によって止めるシャツのことをいい、例えば、背広の下に着用するワイシャツ、ドレスシャツ、フォーマルシャツ、ブラウス等がこれに含まれる。
【００３４】
蝶ネクタイ本体１０は、それぞれ布状の装飾部（ウイング）１１と絞り部（結び目）１２とによって構成されている。
【００３５】
装飾部１１は、布状部材を二重の袋状にしてボリューム感を持たせた横長のほぼ長方形状に形成されている。絞り部１２は、帯状の布状部材を環状にして、装飾部１１の左右方向の中間部を上下方向に絞っている。これにより、装飾部１１の左端側及び右端側は、蝶の羽のように広がっている。
【００３６】
図３は、蝶ネクタイ１の背面側を上方から見た際の、絞り部１２、クリップ２０の拡大斜視図である。なお、同図では、クリップ２０の構成、動作の理解を容易にすべく、ボタン４０とその取付糸Ｔとを追加図示している。ここで取付糸Ｔとは、ボタン４０をワイシャツ類３０の裏前立て３２に取り付けるための糸である。
【００３７】
図４は、ボタン４０を挟持した状態のクリップ２０を上方から見た模式図である。
【００３８】
図３，図４に示すように、クリップ２０は、第１挟持片２１と、第２挟持片２２と、捩じりコイルばね（ばね部材）２３とを有している。
【００３９】
まず、第２挟持片２２について説明する。第２挟持片２２は、全体として左右方向に長い薄板状に形成されている。第２挟持片２２は、左端側（一端側）に挟持部２２ａを有し、右端側（他端側）に把持部２２ｂを有し、これら挟持部２２ａと把持部２２ｂとの境界にブラケット部２２ｃを有している。
【００４０】
挟持部２２ａは、図３に示すように、スリットＳを介して対向する二股部２２ｄを有している。スリットＳは、左右方向に長く形成されていて、左端側に開口部Ｓ１を有し、右端側に底部Ｓ２を有している。開口部Ｓ１は、取付糸ＴがスリットＳに挿入される際の、挿入口となる。底部Ｓ２は、第２挟持片２２全体の左右方向の中心よりも右端側に位置している。さらに詳しくは、後述のように、クリップ２０でボタン４０を挟持した際に、ボタン４０の取付糸Ｔの位置よりも右方に位置している。
【００４１】
スリットＳは、上下方向の幅が、後述するように、クリップ２０でボタン４０を挟持した際に、ボタン４０が通過不能となるように設定されている。例えば、ボタン４０の直径よりも幅狭に形成されていて、ボタン４０が通り抜けできない寸法に設定されている。すなわち、スリットＳは、ボタン４０の取付糸Ｔは、挿入可能であるが、ボタン４０は通り抜け不能となっている。スリットＳの開口部Ｓ１は、ボタン４０の取付糸Ｔが挿入されやすいように、先端側（左端側）ほど幅広になっている。二股部２２ｄは、クリップ２０がボタン４０を挟持する際には、挟持部２２ａの左右方向の長さの中央近傍において、ボタン４０の裏面４０ｂ側の上端側と下端側とを挟持する。
【００４２】
把持部２２ｂは、クリップ２０をワイシャツ類３０に着脱する際に、第２挟持片２２の挟持部２２ａと、後述の第１挟持片２１の挟持部２１ａとを離間させて開くために使用者が握る部分である。
【００４３】
ブラケット部２２ｃは、ほぼ半円状に形成されていて、挟持部２２ａと把持部２２ｂとの境界における上端側と下端側とにおいて前方に向けて屈曲されている。これらブラケット部２２ｃは相互に対向していて、後述する軸２４が上下方向に貫通されている。
【００４４】
第１挟持片２１は、上述の第２挟持片２２とほぼ同形に形成されている。第１挟持片２１は、第２挟持片２２の挟持部２２ａ、把持部２２ｂ、ブラケット部２２ｃと同様の、挟持部２１ａ、把持部２１ｂ、ブラケット部２１ｃを有している。
【００４５】
第１挟持片２１は、布状のカバー部材２５によって覆われている。カバー部材２５は、第１挟持片２１の上下方向の幅とほぼ同様の幅を有する短冊状の部材であり、図３，図４に示すように、第１挟持片２１の挟持部２１ａのブラケット部２１ｃ近傍から始まって、左方に延びて挟持部２１ａの内面（後面）を覆い、挟持部２１ａの左端で外面側（前側）に折り返されて右方に延びて挟持部２１ａの外面（前面）、把持部２１ｂの外面を覆い、把持部２１ｂの内面側（後側）に折り返されて左方に延びて把持部２１ｂの内面（後面）を覆っている。
【００４６】
つまり、カバー部材２５は、第１挟持片２１の内面［後面）のうちのブラケット部２１ｃに対応する部分を除いて、第１挟持片２１の表面（外面及び内面）のほぼ全体を覆っている。カバー部材２５は、例えば、接着剤によって、第１挟持片２１に固定されている。なお、第１挟持片２１は、このように、ほぼ全体がカバー部材２５にい追って覆われているので、挟持部２１ａは、第２挟持片２２の挟持部２２ａとは異なり、特にスリットを有する必要はない。
【００４７】
上述の第１挟持片２１及び第２挟持片２２は、弾性に富んだ金属板、例えば、薄板状のばね鋼によって形成されている。なお、プラスチック等の合成樹脂によって形成することも可能である。
【００４８】
第１挟持片２１と第２挟持片２２とは、それぞれのブラケット部２１ｃ，２２ｃを上下方向に貫通する軸２４によって揺動自在に支持されていて、相互の挟持部２１ａ，２２ａが開閉自在となっている。
【００４９】
ばね部材としての捩じりコイルばね２３は、中間のコイル部が軸２４によって貫通され、一方の端部が第１挟持片２１の把持部２１ｂの内面に係合し、他方の端部が第２挟持片２２の把持部２２ｂに係合している。クリップ２０は、第１挟持片２１の挟持部２１ａと第２挟持片２２の挟持部２２ａとがこの捩じりコイルばね２３によって閉方向に付勢された状態で閉鎖されている。使用者は、第１挟持片２１の把持部２１ｂと第２挟持片２２の把持部２２ｂとを握ることにより、捩じりコイルばね２３の付勢力に抗して、挟持部２１ａ，２２ａを開放することができる。
【００５０】
上述の、開閉自在な第１挟持片２１と第２挟持片２２とを備えたクリップ２０は、第１挟持片２１が蝶ネクタイ本体１０に取り付けられている。
【００５１】
クリップ２０は、第１挟持片２１の挟持部２１ａがカバー部材２５とともに、蝶ネクタイ本体１０の装飾部１１の後面側（裏面側）と絞り部１２の内面との間に挿入され、さらに挟持部２１ａの先端側（左端側）を絞り部１２の左端から突出させている。カバー部材２５は、この状態で、装飾部１１の後面における絞り部１２に対応する部分、及び絞り部１２の内面に接着されている。
【００５２】
蝶ネクタイ本体１０に取り付けられたクリップ２０は、図１に示すように、蝶ネクタイ本体１０の正面側からは、見えないようになっている。
【００５３】
以下、図３，図４を参照して、上述構成の蝶ネクタイ１の動作（使用方法）を説明する。なお、以下では、ワイシャツ類３０を、その表前立て３１を裏前立て３２に重ね合わせて複数のボタンを嵌めて着用した使用者が、複数のボタンのうちの一番上に位置するボタン（第１ボタン）４０に、蝶ネクタイ１を装着する場合を例に説明する。
【００５４】
使用者は、右手の人さし指と親指とでクリップ２０の把持部２１ｂ，２２ｂを握り、捩じりコイルばね２３の付勢力に抗して、挟持部２１ａ，２２ａの先端側（左端側）を少し開放する。この開放状態を維持したまま、クリップ２０をボタン４０に向けて左方に移動し、第２挟持片２２の挟持部２２ａの先端（左端）をボタン４０の裏面４０ｂと表前立て３１との間に挿入し、スリットＳの開口部Ｓ１に取付糸Ｔが位置するようにする。
【００５５】
この状態で、クリップ２０をさらに左方に移動させて、取付糸ＴをスリットＳに挿入する。蝶ネクタイ本体１０の絞り部１２の左右方向の中央がボタン４０に一致したら、クリップ２０の移動を停止するとともに、把持部２１ｂ，２２ｂから指を離す。これにより、第１挟持片２１の挟持部２１ａと第２挟持片２２の挟持部２２ａとによって、ボタン４０を表面４０ａ側と裏面４０ｂ側とから挟持することができる。
【００５６】
さらに詳しくは、ボタン４０の表面４０ａには、第１挟持片２１の挟持部２１ａによってカバー部材２５を介して付勢された絞り部１２の一部が押圧され、一方、ボタン４０の裏面４０ｂには、第２挟持片２２の挟持部２２ａの二股部２２ｄが直接当接し、この状態で、ボタン４０を表面４０ａ側と裏面４０ｂ側とから挟持する。
【００５７】
このように、蝶ネクタイ１は、使用者が把持部２１ｂ，２２ｂを握って、第２挟持片２２のスリットＳに取付糸Ｔを挿入させた後、把持部２１ｂ，２２ｂを離す、といった簡単な操作で、蝶ネクタイ１をワイシャツ類３０に装着することができる。
【００５８】
なお、ワイシャツ類３０から蝶ネクタイ１を取り外す際には、把持部２１ｂ，２２ｂを握ってクリップ２０を右方に移動させるだけで簡単に取り外すことができる。
【００５９】
実施形態１の蝶ネクタイ１によると、以下のような作用・効果を奏することができる。
（１）ワイシャツ類３０に対する蝶ネクタイ１の着脱が容易である。
（２）ワイシャツ類３０に対する蝶ネクタイ１の位置決めが容易である。すなわち、ワイシャツ類３０に対する蝶ネクタイ１の上下方向の位置は、第２挟持片２２のスリットＳに、ボタン４０の取付糸Ｔを挿入することで、おのずと決定される。また、左右方向の位置、及び回転方向の位置については、蝶ネクタイ１を鏡等にうつしながら、把持部２１ｂ，２２ｂを握って挟持部２１ａ，２２ａを少し開いて、左右方向、回転方向の位置合わせをし、その後、把持部２１ｂ，２２を離せば、簡単に位置決めすることができる。
（３）一旦、装着した蝶ネクタイ１は、ずれにくい。すなわち、上下方向については、取付糸ＴがスリットＳに挿入されているため、ずれるおそれがない。また、左右方向、回転方向については、クリップ２０がボタン４０を挟持する際に、ボタン４０の表面４０ａに金属製の挟持部２１ａが直接当接するのではなく、布製の絞り部１２が当接するので、当接部で滑りが発生しにくく、したがって、位置ずれが発生しにくい。つまり、絞り部１２における、ボタン４０の表面４０ａに当接する部分が滑り止め部として作用する。
（４）クリップ２０は、第１挟持片２１の挟持部２１ａを、蝶ネクタイ本体１０の装飾部１１と絞り部１２との間に、カバー部材２５を介して挿入することで取り付けられているので、蝶ネクタイ本体１０からクリップ２０が脱落しにくい。さらに、金属製の第１挟持片２１を布状の装飾部１１や絞り部１２に直接接着するのではなく、布状のカバー部材２５を介して接着しているので、取り付けを一層確実なものとすることができる。
【００６０】
以上の実施形態１において、第２挟持片２２の挟持部２２ａに設けられたスリットＳの底部Ｓ２の位置を、蝶ネクタイ本体１０の左右方向の中心（絞り部１２の左右方向の中心）近傍に設定しておけば、蝶ネクタイ１の装着時に、スリットＳに挿入された取付糸Ｔがこの底部Ｓ２に当接した際に、握っていた把持部２１ｂ，２２ｂを離すようにすれば、おのずと左右方向の位置決めがなされる。つまり、底部Ｓ２が、蝶ネクタイ１の左右方向の位置決めのためのストッパとして作用する。
【００６１】
また、図３に示すように、第２挟持片２２のスリットＳにおける、絞り部１２の左右方向の中心に対応する位置に、凹部Ｓ３（二点鎖線参照）を設け、蝶ネクタイ１の装着時に、スリットＳに挿入された取付糸Ｔがこの凹部Ｓ３に入ったときに、握っていた把持部２１ｂ，２２ｂから指を離して、ボタン４０を挟持するようにすれば、これにより、蝶ネクタイ１の左右方向の位置決めを高い精度で行うことができる。
【００６２】
また、上述では、蝶ネクタイ１を装着する際に、挟持部２１ａ，２２ａを開いて、第２挟持片２２の二股部２２ｄの先端（左端）を、図４に示すように、ボタン４０の裏面４０ｂと表前立て３１との間に挿入し、この状態で、クリップ２０を作用に移動させてスリットＳの取付糸Ｔが挿入されるようにした。
【００６３】
これに代えて、第２挟持片２２の二股部２２ｄを、表前立て３１と裏前立て３２との間に挿入するようにしてもよい。すなわち、蝶ネクタイ１を装着する際に、挟持部２１ａ，２２ａを開いて、二股部２２ｄを、表前立て３１と裏前立て３２との間に挿入し、この状態で、クリップ２０を左方に移動しつつ、スリットＳに取付糸Ｔが挿入されるようにしてもよい。
【００６４】
この場合には、クリップ２０で、ボタン４０をその表面４０ａ側と裏面４０ｂ側とから挟持する際に、ボタン４０の表面４０ａには、絞り部１２が押圧され、さらに、ボタン４０の裏面４０ｂには、表前立て３１が押圧される。このため、挟持部２１ａ，２２ａが直接、ボタン４０の表面４０ａ、裏面４０ｂに当接する（押圧される）場合と比較して、一層、滑りが発生し区にくなる。このため、装着後の蝶ネクタイ１は、さらに、位置ずれしにくくなる。
【００６５】
なお、以上では、本発明を蝶ネクタイ１に適用した場合について説明したが、本発明は、これに限定されない。例えば、蝶ネクタイ本体１０に代えて、アクセサリー等の装飾具を使用することも可能である。この場合には、ワイシャツ類の任意のボタンに対して、着脱・位置決めが容易となる。
【符号の説明】
【００６６】
１      蝶ネクタイ
１０    蝶ネクタイ本体（結び型）
１１    装飾部（ウイング）
１２    絞り部（結び目）
２０    クリップ
２１    第１挟持片
２１ａ  挟持部
２１ｂ  把持部
２２    第２挟持片
２２ａ  挟持部
２２ｂ  把持部
２２ｄ  二股部
２３    捩じりコイルばね（ばね部材）
２５    カバー部材
３０    ワイシャツ類
４０    ボタン
４０ａ  表面
４０ｂ  裏面
Ｓ      スリット
Ｓ１    開口部
Ｓ２    底部
Ｓ３    凹部
Ｔ      取付糸
【図１】
2014062345.tif 000003
【図２】
2014062345.tif 000004
【図３】
2014062345.tif 000005
【図４】
2014062345.tif 000006